(57)【特許請求の範囲】
【請求項１】
ドアを挟むように固着手段を介してドアの内壁面並びに外壁面にそれぞれ当接固定される内外のエスカチオンに於いて、前記室内側のエスカチオン３は、枠状カバー本体１１と、この枠状カバー本体１１の開口１２に引出し状態にスライド嵌合すると共に該エスカチオン３の一部を構成する電池収納ケース１３とから成り、しかも、前記電池収納ケース１３は、前記枠状カバー本体１１に形成した貫通孔１４を貫通する固着手段を介して枠状カバー本体１１に固着されていることを特徴とするドア用錠前のエスカチオン。
【請求項２】
請求項１に於いて、固着手段は、電池収納ケース１３のストッパー部を貫通して内外のエスカチオンをドアに固定することを特徴とするドア用錠前のエスカチオン。
【請求項３】
請求項１に於いて、電池収納ケース１３は、枠状カバー本体１１の上部の開口端面１５から突出し、かつ、該開口端面１５に当接支持される頭部２０を有することを特徴とするドア用錠前のエスカチオン。
【請求項４】
請求項１に於いて、電池収納ケース１３は、頭部２０と、枠状カバー本体１１のネジ用貫通孔１４を貫通する上部開口１２側のオネジ５ｂと係合するストッパー部２３を有する首部２１と、電池２７を収納する胴部２２と、この胴部に多少の間隙３１を有して連設し、かつ、枠状カバー本体１１の側壁部１１ｃの内面と摺接する弾性アーム部３０とから成ることを特徴とするドア用錠前のエスカチオン。
【請求項５】
請求項４に於いて、少くとも枠状カバー本体１１の上部開口１２寄りの部位には係合受け部１８が形成され、一方、電池収納ケース１３の弾性アーム部３０の下端部には前記係合受け部と係合する係合部３２が形成されていることを特徴とするドア用錠前のエスカチオン。
【発明の詳細な説明】
【０００１】
【発明の属する技術分野】
本発明はドア用錠前のエスカチオンに関し、特にホテルの各室のドアにそれぞれ取付けられたドア用錠前のエスカチオンに関する。
【０００２】
【従来の技術】
このドア用錠前は、一般に室内側のエスカチオンにカバーされた或いは取付けベース板に設けられた電源（電池）、同じく室内側のエスカチオン内に適宜に設けられかつ該電源により作動する制御手段（マイコン）、室内側のエスカチオンとドア及び固着手段を介して一体的に結合する室外側のエスカチオン、この室外側のエスカチオンに差込まれる暗証番号媒体手段（磁気カード）等を適当に組み合わせ、「ホテルカードロックシステム」を構成している。
【０００３】
ところで、このホテルカードロックシステムに於いては、例えば制御手段を作動させるために複数本の電池（内部電源）を室内側のエスカチオンでカバーしているため、通常の使用期間（約１年）が経過すると、電池交換をする必要がある。
【０００４】
この電池交換を行う際、従来のドア用錠前のエスカチオンは、まずその室内側のエスカチオンを内側レバーハンドルと共に取付けベース板から取り外し、次に取付けベース板の電池収納部に収納されている電池を取り外す必要があった（例えば出願人のエスカチオンＡＬ４ＨＰ型）。
【０００５】
そこで、室内側のエスカチオンを取り外して電池交換を行う従来のタイプは、
次のような作業手順が必要なので、作業上の手間や時間の点で解決すべ課題があった。
（１）まず必ず室内側のエスカチオンを取り外さなければ成らない。
（２）次に室内側と室外側のエスカチオンは、普通一般に固着手段を介して一体的に結合しているので、前記（１）でエスカチオンを取り外した場合には、内外のエスカチオンを適当な場所に置くべきであるが、ホテル側の事情により、作業員は時にはエスカチオンを持ったまま電池交換をしなければならない。
（３）電池交換が終わったならば、今度は内外のエスカチオンを固着手段を介して一体的に結合しなければ成らない。
【０００６】
【発明が解決しようとする課題】
本発明は以上のような従来の欠点に鑑み、第１の目的は、電池交換の際に手間がかからないと共に時間もかからないドア用錠前のエスカチオンを提供することである。第２の目的は、お客が電池収納ケースを枠状カバー本体から指で摘んで引出し、電池をエスカチオンから抜き出そうとしても、容易にできないことである。第３の目的は、電池収納ケースを枠状カバー本体から容易に引き出すことができることである。第４の目的は電池収納ケースを枠状カバー本体から引き出した時、電池収納ケースが所望する位置で停止することである。
【０００７】
【課題を解決するための手段】
本発明のドア用錠前のエスカチオンは、ドアを挟むように固着手段を介してドアの内壁面並びに外壁面にそれぞれ当接固定される内外のエスカチオンに於いて、前記室内側のエスカチオン３は、枠状カバー本体１１と、この枠状カバー本体１１の開口１２に引出し状態にスライド嵌合すると共に該エスカチオン３の一部を構成する電池収納ケース１３とから成り、しかも、前記電池収納ケース１３は、前記枠状カバー本体１１に形成した貫通孔１４を貫通する固着手段を介して枠状カバー本体１１に固着されていることを特徴とする。
【０００８】
上記構成に於いて、固着手段は、電池収納ケース１３のストッパー部を貫通して内外のエスカチオンをドアに固定することを特徴とする。また電池収納ケース１３は、枠状カバー本体１１の上部の開口端面１５から突出し、かつ、該開口端面１５に当接支持される頭部２０を有することを特徴とする。さらに、電池収納ケース１３は、頭部２０と、枠状カバー本体１１のネジ用貫通孔１４を貫通する上部開口１２側のオネジ５ｂと係合するストッパー部２３を有する首部２１と、電池２７を収納する胴部２２と、この胴部に多少の間隙３１を有して連設し、かつ、枠状カバー本体１１の側壁部１１ｃの内面と摺接する弾性アーム部３０とから成ることを特徴とする。
【０００９】
加えて、発明の目的如何によっては、少くとも枠状カバー本体１１の上部開口１２寄りの部位には係合受け部１８が形成され、一方、電池収納ケース１３の弾性アーム部３０の下端部には前記係合受け部と係合する係合部３２が形成されていることを特徴とする。
【００１０】
【発明の実施の形態】
以下、図面に示す本発明の実施の形態を説明する。本発明を図１及び図２で示すように、ホテルの各室のドア１にそれぞれ取付けられたドア用錠前２を構成する内外のエスカチオン３、４の場合で説明する。ところで、エスカチオンは、本明細書に於いてはドアに取付けられた錠箱をカバーする装飾板としての意味合いを有し、ドア１の内外の壁面にそれぞれ固定されたエスカチオン３、４には、内外の操作手段がそれぞれ回転可能に設けられる。したがって、ここで符号３は、図２で示すように室内側のカバー本体としてのエスカチオン、一方、４は室外側のカバー本体としてのエスカチオンである。
【００１１】
この内外のエスカチオン３、４は、ドア１を挟むように固着手段５を介し、ドア１の内壁面１ａ、並びに外壁面１ｂにそれぞれ当接固定される。このドア用錠前２は、室内側のエスカチオン３に内部電源としての電池が内装され、また両方のエスカチオン３、４の間（例えばエスカチオン３の内部）に内部電源により作動するマイクロコンピュータが適宜に設けられ、またエスカチオン３、４間のドア１の適当な部位に形成された切欠部或いは開口部には、施解錠機構を備えた錠箱が適宜に組み込まれ、さらに、室外側のエスカチオン４には、暗証番号媒体手段（例えば磁気カード）６を差込むための挿入口７、外側レバーハンドル８等が設けられている。
【００１２】
ところで、本発明のエスカチオンは、防犯との関係では、少くとも電池をカバーする室内側のエスカチオン３を意味する。したがって、さらに、図３乃至図１０を参照に室内側のエスカチオン３の構成を詳しく説明する。
【００１３】
この室内側のエスカチオン３は、基本的には操作部材としての内側レバーハンドル（又はノブ）１０が回転可能に設けられる枠状のカバー本体１１と、このカバー本体１１の開口１２に引出し状態にスライド嵌合する電池収納ケース１３とから成る。しかも、電池収納ケース１３の後述する頭部は、エスカチオン３の外壁の一部を構成している。
【００１４】
前述したように内外のエスカチオン３、４は、ドア１を挟むように固着手段５を介し、ドア１の内壁面１ａ、並びに外壁面１ｂにそれぞれ当接固定されるが、室内側エスカチオン３の枠状カバー本体１１及び電池収納ケース１３は、この固着手段５を介して図１及び図２で示すようにドア１の内壁面１ａに固定される。固着手段５は、本実施例では室外側エスカチオン４に水平方向に突出して設けられた複数個の上下のメネジ杆５ａと、少くとも枠状カバー本体１１のネジ用貫通孔１４を貫通し、かつ、これらのメネジ杆５ａにそれぞれ螺合する複数個のオネジ５ｂとから成る。
【００１５】
そこで、まず枠状カバー本体１１について説明する。枠状カバー本体１１は、上部の開口端面１５が図３で示すようにチャンネル形状であり、また縦断面にするとＬ字型と成る。本実施例では上端部から下端部に至まで同径の正面カバー部１１ａに角度方向に連設する底壁１１ｂは、略直角であるのに対し、左右の側壁部１１ｃ、１１ｃは正面カバー部１１ａから多少鈍角方向（外拡状態）に対向連設している。したがって、枠状カバー１１の上部開口１２はドア１の内壁面１ａに至にしたがってその径が広がっている。
【００１６】
しかして、枠状カバー本体１１の正面カバー部１１ａの上下部には、左右一対のネジ用貫通孔１４がそれぞれ形成されている。これらのネジ用貫通孔１４は、望ましくはオネジ５ｂの頭部が丁度嵌合するようにスリバチ状の内周面を形成している。また正面カバー部１１ａの中央部或いは上下部寄りの部位には、内側レバーハンドル１０用の軸孔１６が形成されている。さらに、正面カバー部１１ａには、内側レバーハンドル１０の取付け位置を考慮してサムターン１７が適当に設けられている。
【００１７】
ところで、枠状カバー本体１１の左右の側壁部１１ｃ、１１ｃの内壁面には、複数個の係合受け部（係合孔、係合溝、係合切欠部、係合突起等）１８が形成されている。これらの係合受け部１８は、望ましくは左右の側壁部１１ｃ、１１ｃの内壁面に対向するように左右一対形成すべきである。本実施例では図６で示すように枠状カバー１１の上部開口１２寄りの部位と、図８で示すように枠状カバー１１の軸孔１６寄りの部位にそれぞれ形成されている。なお、本実施例では枠状カバー本体１１の左右の側壁部１１ｃ、１１ｃは、２枚の板を重ねて形成されているが、必ずしも２枚重ねの状態にする必要はない。
【００１８】
次に電池収納ケース１３について説明する。この電池収納ケース１３は、図１で示すように、普段は枠状カバー本体１１に上部開口１２を介して差し込まれ、かつ、枠状カバー本体１１のネジ用貫通孔１４を貫通する上部開口１２側のオネジ５ｂを介し、該枠状カバー本体１１にストッパーされている。つまり、電池収納ケース１３は、電池交換の時に必要最低限の前記オネジ５ｂを取り外すだけで、枠状カバー本体１１から「スポット」引き出し、或いはそのまま取り出すことができる。
【００１９】
図６は電池収納ケース１３の裏側（背面）を見せた斜視図、図７は電池収納ケース１３の表側（正面）を見せた説明図、図８は電池収納ケース１３の裏側を見せた説明図である。
【００２０】
そこで、これらの図面を基準に電池収納ケース１３をさらに詳しく説明する。電池収納ケース１３は、全体として「イカ形態」のイメージを彷彿させるが、説明の便宜上、人体の部分名称を用いて説明する。
【００２１】
しかして、２０は枠状カバー本体１１の開口端面１５に当接支持される偏平状の頭部である。この頭部２０は、図１で示すように枠状カバー本体１１に電池収納ケース１３が完全に差し込まれた際に、枠状カバー本体１１の上端部から突出する。この頭部２０は、首部２１を介して連設する胴部２２よりも多少左右に突出するので、人体の頭部と言うよりも、正確には「イカの耳部」に相当する。そして、頭部２０はデザイン上室内側のエスカチオン３の一部を構成している。
【００２２】
ところで、頭部２０の上面はやや弧状に形成され、また頭部２０の下端縁には枠状カバー本体１１の開口端部１５と係合する突起、或いはフランジ部が任意に形成されている。したがって、頭部２０は枠状カバー本体１１のデザインを考慮して任意に設計変更可能であるが、頭部２０自体に次に説明する筒状ストッパー部と枠状カバー本体１１のネジ用貫通孔１４との位置決め機能を持たせる為に、また電池収納ケース１３を容易に引き出すことができるように、枠状カバー本体１１の開口端面１５に当接支持させている。
【００２３】
２３は首部２１に設けられた複数個の筒状ストッパー部である。本実施例の首部２１は左右一対の垂直板であり、これらの垂直板に左右の筒状ストッパー部２３が対向して設けられている。そして、左右の筒状ストッパー部２３は、強度性を付与する為に水平連結板２４を介して一体的に連結されている。
【００２４】
２５はケース状胴部２２に形成された電池収納部である。図３で示すように本実施例ではこの電池収納部２５に市販の電池ホルダー２６が取出し可能に組み込まれている。電池ホルダー２６には複数個の電池２７が端子２８を介して設けられている。また複数個の電池２７と直列回路で接続コードを介して電気的に接続されたコネクター２９も適当に設けられている。もちろん、市販の電池ホルダー２６を用いないで、胴部２２に前記端子２８やコネクター２９を設け、電池収納部２５に複数個の電池２７を直接嵌め込んでも良い。
【００２５】
３０は左右の弾性アーム部で、これられアーム部３０は脇の表側を閉め、一方、脇の裏側を多少開けたような格好で、胴部２２の左右の側壁の上端部から下端部へとストレートに連設状態に設けられている。本実施例では、前述したように枠状カバー本体１１の左右の側壁部１１ｃ、１１ｃが正面カバー部１１ａから多少外拡状態に対向連設していることから、左右のアーム部はこれに対応して裏側（一側壁）に多少のＶ型間隙３１を形成するようにやや外拡状態に形成されている。
【００２６】
そして、左右のアーム部３０の下端部は胴部２２の側壁から下方へと突出し、この下端突出部の外壁面に、前述した枠状カバー本体１１の係合受け部１８と係脱する係合部（係合突起、係合孔等）３２がそれぞれ形成されている。この係合部３２は係合受け部１８がテーパ面を有する係合溝であることから、望ましくは同じくテーパー面を有する係合突起と成っている。
【００２７】
上記構成に於いては、図２で示すように内外のエスカチオン３、４は、ドア１を挟むように複数個（合計４個）の固着手段５を介し、ドア１の内壁面１ａ、並びに外壁面１ｂにそれぞれ当接固定される。この場合エスカチオン３の上部に位置する２個の固着手段５は、電池収納ケース１３の左右の筒状ストッパー部２３を貫通している。したがって、例えばお客が電池収納ケース１３を枠状カバー本体１１から指で摘んで引出し、電池２７をエスカチオン３から抜き出そうとしても容易にできない。
【００２８】
また図４で示すように電池収納ケース１３が枠状カバー本体１１に完全に差し込まれている時には、電池収納ケース１３の係合部３２は枠状カバー本体１１の下方の係合受け部に係合している。
【００２９】
しかして、電池交換をする場合には、まず図示しないドライバーで上述の２個のオネジ５ｂを取り外す。次に電池収納ケース１３の頭部２０を片手で摘んで上方へと引き出す。この場合電池収納ケース１３のアーム部３０の係合部３２は、下方の係合受け部１８からアーム部３０の弾性力に抗して外れた後、左右の側壁部１１ｃ、１１ｃの内面をスライドし、やがて上方の係合受け部１８に復帰係合する。そうすると、電池収納ケース１３の胴部２２が略現れ、電池収納部２５からそのまま電池２７の取出しが可能となる。そこで、電池を交換する。電池を交換したならば、電池収納ケース１３をそのまま片手で軽く押し込むと、電池収納ケース１３は、枠状カバー本体１１及びドア１の内壁面１ａに案内されながら、その係合部３２が枠状カバー本体１１の下方の係合受け部１８に係合する所まで下降する。そして、２個のオネジ５ｂを枠状カバー本体１１の貫通孔１４及び電池収納ケース１３の筒状ストッパー部２３に差し込み、かつ、外側エスカチオン４のメネジ杆５ａに螺合させる。したがって、少なくとも室内側のエスカチオン３を片手に持つ必要はない。
【００３０】
【実施例】
枠状カバー本体１１の開口１２を形成すべき箇所は、望ましくはカバー本体１１上壁部分であるが、設計如何によっては枠状カバー本体１１の左右の側壁１１ｃのいずれかに形成しても良い。また例えば枠状カバー本体１１の上部開口１２寄りの部位には係合受け部１８が形成され、一方、電池収納ケース１３の弾性アーム部３０の下端部には前記係合受け部と係合する係合部３２が形成されているが、前記電池収納ケース１３を枠状カバー本体１１から完全に引き出しても電池の交換が可能であるから、必ずしも前記係合受け部や係合部を設ける必要はない。
【００３１】
また電池収納ケース１３の首部２１に複数個の筒状ストッパー部２３が設けられているが、ストッパー部２３は枠状カバー本体１１のネジ用貫通孔の形成位置や個数（複数、単数）によって任意に変更することが可能であるから、単数でも良く、また必ずしも筒状でなくても良い。
【００３２】
【発明の効果】
以上の説明から明らかなように、本発明にあっては次に列挙するような効果がある。
（１）電池収納ケースを引き出すだけで簡単に電池交換ができる。すなわち、カバー本体としてエスカチオンを取り外さないで電池交換ができるので、電池交換の際に手間がかからないと共に時間もかからない。
（２）請求項２記載の発明は、お客が電池収納ケースを枠状カバー本体から指で摘んで引出し、電池をエスカチオンから抜き出そうとしても、容易にできない。
（３）請求項３記載の発明は、頭部を摘むことができるから、電池収納ケースを枠状カバー本体から容易に引き出すことができる。
（４）請求項４及び請求項５記載の発明は、電池収納ケースを枠状カバー本体から引き出した時、電池収納ケースが所望する位置で停止する。したがって、電池収納ケースを枠状カバー本体から完全に取外した場合よりも、電池交換を簡単に行うことができる。
【図面の簡単な説明】
図１乃至図１０は本発明の一実施例を示す各説明図。
【図１】本発明の実施の形態を説明する斜視図。
【図２】本発明の実施の形態を説明する概略説明図。
【図３】本発明の分解斜視図。
【図４】エスカチオンの裏側（背面）から見た説明図。
【図５】図３に於いて、電池収納ケースを多少引出した状態の説明図。
【図６】主要部の斜視図。
【図７】電池収納ケースを取出した場合に於ける正面から見た説明図。
【図８】電池収納ケースを取出した場合に於ける背面から見た説明図。
【図９】要部（電池収納ケース）の拡大説明図。
【図１０】図９の１０−１０線断面図。
【符号の説明】
１…ドア、２…ドア用錠前、３…エスカチオン（室内側）、４…エスカチオン（室外側）、５…固着手段、５ａ…メネジ杆、５ｂ…オネジ、６…暗証番号媒体手段、１１…枠状カバー本体、１１ａ…正面カバー部、１１ｂ…底壁、１１ｃ…側壁部、１２…開口、１３…電池収納ボックス、１４…ネジ用貫通孔、１５…開口端面、１８…係合受け部、２０…頭部、２１…首部、２２…胴部、２３…ストッパー部、２５…電池収納部、２７…電池、３０…弾性アーム部、３１…間隙、３２…係合部。
【図１】
0003942222.tif 000002
【図２】
0003942222.tif 000003
【図３】
0003942222.tif 000004
【図４】
0003942222.tif 000005
【図５】
0003942222.tif 000006
【図６】
0003942222.tif 000007
【図７】
0003942222.tif 000008
【図８】
0003942222.tif 000009
【図９】
0003942222.tif 000010
【図１０】
0003942222.tif 000011